(57)【特許請求の範囲】
【請求項１】
少なくともディスク媒体を装着して駆動するディスク駆動機構を搭載する可動体と、この可動体を前記ディスク媒体に再生時に収容する筐体と、前記可動体を前記筐体に対して出し入れするための搬送手段と、前記可動体に設けられ前記ディスク媒体の再生時に前記可動体を前記筐体内の所定の面に押圧する押圧手段と、前記可動体を前記筐体内に保持・開放するロック手段とを備えるディスク装置において、
前記筐体の前記可動体の挿入方向に沿った面に設けられた凸部と、前記押圧手段が、前記可動体に設けられ前記可動体の挿入方向と直交する方向に進退自在なスライダーと、前記可動体が前記筐体内のディスク媒体再生位置にあるとき前記スライダーは前記凸部と係合するとともに前記スライダーを付勢して前記可動体を前記筐体の有する前記可動体の挿入方向に沿った面に押圧し、かつ前記筐体に当接して前記可動体の搬出方向に搬出力を生じる付勢部材とを有することを特徴とするディスク装置。
【請求項２】
スライダーは、前記可動体に前部に設けられていることを特徴とする請求項１記載のディスク装置。
【請求項３】
少なくともディスク媒体を装着して駆動するディスク駆動機構を搭載する可動体と、この可動体を前記ディスク媒体に再生時に収容する筐体と、前記可動体を前記筐体に対して出し入れするための搬送手段と、前記可動体に設けられ前記ディスク媒体の再生時に前記可動体を前記筐体内の所定の面に押圧する押圧手段と、前記可動体を前記筐体内に保持・開放するロック手段とを備えるディスク装置において、
前記筐体の前記可動体の挿入方向に沿った面に設けられた凸部と、前記押圧手段が、前記可動体に設けられ前記可動体の挿入方向と直交する方向に進退自在なスライダーと、前記可動体が前記筐体内のディスク媒体再生位置にあるとき前記スライダーは前記凸部と係合するとともに一端が前記スライダーを付勢して前記筐体の有する前記可動体の挿入方向に沿った第１の面を押圧し前記可動体を前記第１の面と反対側の第２の面に押し付け、かつ他端が前記筐体に当接して前記可動体の搬出方向に搬出力を生じるバネ部材とを備えることを特徴とするディスク装置。
【請求項４】
スライダーは、前記可動体に前部に設けられていることを特徴とする請求項３記載のディスク装置。
【請求項５】
バネ部材は、１つのねじりコイルバネであることを特徴とする請求項３または４記載のディスク装置。
【請求項６】
ディスク装置が、光ディスク装置であることを特徴とする請求項１から５のいずれか１項記載のディスク装置。
【発明の詳細な説明】
【０００１】
【発明の属する技術分野】
本発明はディスク装置に関し、特に光ディスク装置におけるドロワーの搬出機構およびドロワーの振動防止・抑制機構に関する。
【０００２】
【従来の技術】
図３は、従来の光ディスク装置（以下、ディスク装置という）の全体的な構成を示す斜視図であって、図４および図５は、それぞれ図３の部分拡大図である（例えば、特開平１１−２５５５８号公報）。
【０００３】
図３、図４および図５を参照すると、従来のディスク装置は、ドロワー１０２が筐体１０１内に挿入された状態のとき、筐体１０１内からドロワー１０２を搬出するためのドロワー搬出機構は、筐体１０１側またはドロワー１０２側にドロワー１０２を搬出方向Ｙａに押し出すレバー１０３と、押し出す力を発生させるバネ１０４とを含んで構成されている。
【０００４】
また、従来のディスク装置には、重心の位置が中心から偏った（偏重心の）光ディスク媒体（以下、ディスク媒体という）を高速駆動した際に、ドロワー１０２が筐体１０１内で振動して筐体１０１との衝突により騒音を発生するのを防止かつ抑制するための振動防止・抑制機構が設けられている。この機構は、ドロワー１０２の前面にドロワーの搬送方向と直交する方向に進退自在に支持されたスライダー１０５と、このスライダー１０５をドロワー２からＸａ方向に付勢する圧縮コイルバネ１０６とから成り、ドロワー１０２が筐体１０１内に保持された状態のとき、スライダー１０５が筐体１０１の壁面１０１ａに押圧を受けることにより、ドロワー１０２の側面が筐体１０１の片側壁面１０１ｂに押し当てられるように構成されている。
【０００５】
【発明が解決しようとする課題】
しかし、上述した従来のディスク装置では、ドロワーの搬出機構とドロワーの振動防止・抑制機構とが別々に設けられているため、部品点数が多くかつ機構が複雑になり、ディスク装置の組立性が低下するという問題があった。
【０００６】
本発明の目的は、かかる課題を解決し組立性の向上したディスク装置を提供することにある。
【０００７】
【課題を解決するための手段】
本発明は、少なくともディスク媒体を装着して駆動するディスク駆動機構を搭載する可動体と、この可動体を前記ディスク媒体に再生時に収容する筐体と、前記可動体を前記筐体に対して出し入れするための搬送手段と、前記可動体に設けられ前記ディスク媒体の再生時に前記可動体を前記筐体内の所定の面に押圧する押圧手段と、前記可動体を前記筐体内に保持・開放するロック手段とを備えるディスク装置において、前記筐体の前記可動体の挿入方向に沿った面に設けられた凸部と、前記押圧手段が、前記可動体に設けられ前記可動体の挿入方向と直交する方向に進退自在なスライダーと、前記可動体が前記筐体内のディスク媒体再生位置にあるとき、前記スライダーは前記凸部と係合するとともに前記スライダーを付勢して、前記可動体を前記筐体の有する前記可動体の挿入方向に沿った面に押圧し、かつ前記筐体に当接して前記可動体の搬出方向に搬出力を生じる付勢部材とを有することを特徴とする。
【０００８】
具体的には、前記可動体が前記筐体内のディスク媒体再生位置にあるとき前記スライダーは前記凸部と係合するとともに一端が前記スライダーを付勢して前記筐体の有する前記可動体の挿入方向に沿った第１の面を押圧し前記可動体を前記第１の面と反対側の第２の面に押し付け、かつ他端が前記筐体に当接して前記可動体の搬出方向に搬出力を生じるねじりコイルバネとを備えることを特徴とする。
【０００９】
すなわち、本発明のディスク装置は、ドロワー搬出用のバネとドロワーの振動防止・抑制のバネとを、１つのバネで兼用することにより、部品点数の削減および機構の簡素化を行うものであって、ドロワーの前面部にはドロワーの振動・抑制用のスライダーが配置されており、ねじりコイルバネは、スライダーをねじりコイルバネの端部によって付勢力が発生するよう構成する。また、ドロワーを筐体に挿入すると、ねじりコイルバネの端部は筐体の曲げ部に当接してドロワーを搬出する方向に力が発生するように構成する。これにより、従来のディスク装置に設けられていたドロワー搬出用とドロワーの振動防止・抑制用の２つの機構を１つの機構で兼用することができる。
【００１０】
【発明の実施の形態】
次に、本発明について図面を参照して説明する。図１は、本発明の一実施の形態を表わすディスク装置の全体的な構成を示す斜視図である。また、図２（ａ）は、図１の振動の防止・抑制機構およびドロワーの排出機構を説明するための部分拡大図であり、同図（ｂ）は同図（ａ）の一部を示す図、同図（ｃ）は同図（ｂ）の側面から見た図である。
【００１１】
図１併せて図２（ａ）から同図（ｃ）を参照すると、本発明のディスク装置は、筐体１と、筐体１内に出し入れするディスク再生・記録機構を搭載するドロワー２と、ドロワー２の両側面に設けられた突起状のガイド２ａおよび筐体１内に設けられたガイド支持部３と、このガイド支持部３をスライド可能に取り付けられ筐体１とドロワー２とを連結するレール４と、レール４およびドロワー２を筐体１内に保持・開放するロック機構７と、ロック機構７を駆動するためのソレノイド８と、ドロワー２を筐体１内に出し入れするための搬送手段（図示せず）とから構成されている。
【００１２】
さらに、ドロワー２の前部には、ドロワー２の挿入方向と直交する方向Ｘａ−Ｘｂに進退可能なスライダー５が配置され、このスライダー５は、ねじりコイルバネ６の端部６ａにより、Ｘｂ方向に押しつけられている。また、ねじりコイルバネ６の端部６ｂはドロワー２の下方に突出させ、ドロワー２を筐体１に挿入するとねじりコイルバネ６の端部６ｂが筐体１の曲げ部１ａに接触し、ドロワー２を搬出する方向に力が働くように配置されている。
【００１３】
次に、このように構成された本実施例の動作について説明する。ドロワー２の筐体１内への挿入は手動で行われ、排出はドロワー２のパネル２ｂに配置されたスイッチ２ｃを押すことにより、筐体１に配置されたソレノイド８に電流が流れ、ロック機構７を解除することにより自動的に行われる。
【００１４】
続いて、ドロワー２を筐体１に挿入時に偏重心のディスク媒体の駆動時に発生する振動の防止・抑制をする機構および筐体内１からドロワー２が排出される機構について説明する。
【００１５】
まず、ドロワー２を挿入すると、スライダー５が筐体の突起部１ａの斜面に沿ってＹａ方向に、いわゆるガタ寄せされ、ドロワー２は、ねじりコイルバネ６の反力により筐体１の曲げ部１ｂに押し当てられる。これにより、ドロワー２の搬送方向に直角方向の振動を抑制することができる。
【００１６】
そして、筐体１にドロワー２を挿入していくことにより、ねじりコイルバネ６の端部が、筐体１の曲げ部１ｃよりＹａ方向に押され、ドロワー２にはＹａ方向の反力が働き、この反力がドロワー２を搬出する力となる。
【００１７】
【発明の効果】
以上説明したように本発明のディスク装置は、部品点数が削減でき機構が簡素化するため組立性が向上するという効果がある。また、ドロワーの振動防止・抑制機構とトレイ搬出機構とが一体化することにより、実装上の占有スペースが小さくなり、他の部品への有効スペースが増加するという効果がある。
【図面の簡単な説明】
【図１】本発明の一実施の形態を表わすディスク装置の全体的な構成を示す斜視図である。
【図２】図１の振動防止・抑制機構およびドロワー排出機構を説明するための部分拡大図である。
【図３】従来のディスク装置の全体的な構成を示す斜視図である。
【図４】図３の部分拡大図である。
【図５】図３の部分拡大図である。
【符号の説明】
１    筐体
１ａ，１ｂ，１ｃ    曲げ部
２    ドロワー
２ａ    ガイド
２ｂ    パネル
２ｃ    スイッチ
３    ガイド支持部
４    レール
５    スライダー
６ａ，６ｂ    端部
６    ねじりコイルバネ
７    ロック機構
８    ソレノイド
１０１    筐体
１０１ａ    壁面
１０１ｂ    片側壁面
１０２    ドロワー
１０３    レバー
１０４    バネ
１０５    スライダー
１０６    圧縮コイルバネ
【図１】
0003674539.tif 000002
【図２】
0003674539.tif 000003
【図３】
0003674539.tif 000004
【図４】
0003674539.tif 000005
【図５】
0003674539.tif 000006